(57)【特許請求の範囲】
【請求項１】
蓋板が屈曲式支持アームに支持されながら一辺側を回動中心として開閉操作される床下収納庫における前記蓋板の取付方法であって、
前記屈曲式支持アームの収納庫がわ端部に、係止部を有するアーム連結金具を備えるとともに、前記床下収納庫の側板に予め、受け係止部を有する収納庫がわ固定金具を取り付けておき、
前記アーム連結金具の係止部を前記収納庫がわ固定金具の受け係止部に係止させながらアーム連結金具を取付けることにより前記蓋板を開状態のまま仮保持し、この仮保持状態で前記アーム連結金具と収納庫がわ固定金具とをビスにより連結することを特徴とする床下収納庫の蓋板取付方法。
【請求項２】
前記請求項１記載の床下収納庫の蓋板取付方法に使用される収納庫がわ固定金具及びアーム連結金具であって、
前記収納庫がわ固定金具は金具当接面の一方がわ端部に受け係止部を備え、一方前記アーム連結金具は、蓋板を直立位置よりも反対側まで傾倒した状態で前記受け係止部に対して係止させた際、屈曲式支持アームを介して伝わる引張力方向への移動を阻止するとともに、浮き上がり方向への移動を阻止し、蓋板を開状態のまま保持する係止部を備えていることを特徴とする蓋板取付金具。
【発明の詳細な説明】
【０００１】
【発明の属する技術分野】
本発明は、床下に物品を収納するための床下収納庫に係り、詳しくは前記床下収納庫の上面を封鎖する蓋板の取付方法およびそのための金具に関する。
【０００２】
【従来の技術】
従来より床下収納庫の蓋板として、床下収納庫の開口部に嵌合させ、その都度蓋板を取り外して庫内に物品等を収納するタイプのものと、蓋板が屈曲式支持アームに支持されながら一辺側を回動中心として開閉操作されるタイプのものとが知られている。
【０００３】
後者の開閉型床下収納庫は、例えば図８および図９に示されるように、床下収納庫の開口部に蝶番等（図示せず）により開閉自在に支持された蓋板２１を設けるとともに、前記蓋板２１と収納庫とを屈曲式支持アームにより連結した構造となっている。前記屈曲式支持アーム２２は、蓋板がわ端部に蓋板連結金具２３を備えるとともに、収納庫がわ端部にアーム連結金具２４を備え、前記蓋板連結金具２３が前記蓋板２１にビス止めされるとともに、前記アーム連結金具２４が収納庫の側板２６に固定されている収納庫がわ固定金具２５に連結される。前記蓋板２１を開操作すると、前記屈曲式支持アーム２２が直線状態まで伸び、蓋板２１が開状態のまま保持されるようになっている。前記蓋板２１を収納庫に取付けるには、図９に示されるように、蓋板２１の開き具合を調整しながら前記アーム連結金具２４を前記収納庫がわ固定金具２５の当接面に合わせ、ビス孔２４ａ、２４ａにビスを螺入し連結を行っていた。
【０００４】
【発明が解決しようとする課題】
しかしながら、蓋板２１は屈曲式支持アームが収納庫がわ固定金具に連結されない限り自立状態を保持できず、一人の職人が蓋板２１を開状態に保持しながら、ビスの螺入作業を行うことは実際上かなりの困難を伴っていた。もちろん、蓋板２１を手で押さえる人と、アーム連結金具２４を収納庫側固定金具２５にビス止めする人の２人の職人がいれば連結作業は容易に行えるが、近年は職人不足等により実際には一人の職人によって作業が行われることが多く、一人で蓋板の取付け作業が行える構造のものが強く望まれていた。
【０００５】
そこで本発明の主たる課題は、蓋板が屈曲式支持アームに支持されながら一辺側を回動中心として開閉操作される床下収納庫において、一人の職人によって簡単に蓋板を床下収納庫に取り付けできるようにした蓋板取付方法及びそのための金具を提供することにある。
【０００６】
【課題を解決するための手段】
前記課題を解決するための本発明は、蓋板が屈曲式支持アームに支持されながら一辺側を回動中心として開閉操作される床下収納庫における前記蓋板の取付方法であって、
前記屈曲式支持アームの収納庫がわ端部に、係止部を有するアーム連結金具を備えるとともに、前記床下収納庫の側板に予め、受け係止部を有する収納庫がわ固定金具を取り付けておき、
前記アーム連結金具の係止部を前記収納庫がわ固定金具の受け係止部に係止させながらアーム連結金具を取付けることにより前記蓋板を開状態のまま仮保持し、この仮保持状態で前記アーム連結金具と収納庫がわ固定金具とをビスにより連結することを特徴とするものである。
【０００７】
また、前記床下収納庫の蓋板取付方法に使用されるアーム連結金具及び収納庫がわ固定金具であって、前記収納庫がわ固定金具は金具当接面の一方がわ端部に受け係止部を備え、一方前記アーム連結金具は、蓋板を直立位置よりも反対側まで傾倒した状態で前記受け係止部に対して係止させた際、屈曲式支持アームを介して伝わる引張力方向への移動を阻止するとともに、浮き上がり方向への移動を阻止し、蓋板を開状態のまま保持する係止部を備えていることを特徴とするものである。
【０００８】
【発明の実施の形態】
以下、本発明の実施の形態について図面を参照しながら詳述する。図１は本発明に係る床下収納庫の蓋板１の取付構造を示す側面図であり、図２はそのII−II線矢視図である。
床下収納庫は、床下に設けられる収納庫本体２と、この収納庫本体２の開口部を封鎖する蓋板１とからなるもので、前記蓋板１は収納庫本体２の側部に設けられた隠し蝶番１２によって一辺側を回動中心として開閉自在に支持されているとともに、蓋板１と収納庫本体２とを連結している屈曲式支持アーム３により支持され、この屈曲式支持アーム３により蓋板１を開状態に保持し得るようになっている。
【０００９】
以下、具体的に詳述すると、
前記屈曲式支持アーム３は、図３に示されるように第１アーム片６と、第２アーム片７とが連結軸８により相互に連結され屈曲可能とされる部材で、蓋板がわとなる前記第１アーム片６の端部には、取付用ベース４ａと起立部４ｂとからなる蓋板連結金具４が連結軸１３によって回動可能に設けられているとともに、前記収納庫がわとなる第２アーム片７の端部にはアーム連結金具５が連結軸１４によって回動可能に設けられている。前記蓋板連結金具４、アーム連結金具５が連設された屈曲式支持アーム３は、蓋板１に対して前記蓋板連結金具４がビス止めされた状態で現場に搬入される。
【００１０】
前記第１アーム片６と、第２アーム片７とは、図１に鎖線で示されるように、蓋板１を開けた状態ではほぼ直線状となり、前記蓋板１を閉めた状態では収納庫本体２内部に折り畳まれるようにして収納される。なお、蓋板１の開状態では、第１アーム片６側に設けた屈曲部６ｂに対して第２アーム片７の周縁が当接し、それ以上の回動を阻止することにより、前記第１アーム片６と第２アーム片７とが直線状態に保持されるようになっている。また、前記第１アーム片６と第２アーム片７とを連結軸８により連結している連結軸部において、第２アーム片７側の孔７ａは長孔となっており、蓋板１の開状態時に連結軸８位置を長孔７ａ内で移動させて第２アーム片７を第１アーム片６側に若干移動させると、第２アーム片７が第１アーム片６の屈曲部６ａに係合するようになり、第１アーム片６と第２アーム片７とが屈曲不能に保持されるようになっている。
【００１１】
前記アーム連結金具５は、詳細には図４に示されるように、側面部５ａの下端からＬ字状に屈曲する底面部５ｂを有する断面Ｌ字状の部材で、前記側面部５ａには、２つの連結用ビス孔５ｃ、５ｃが形成されているとともに、一方がわ端部位置（アームがわ端部位置）に第２アーム片７の連結用軸孔５ｄが形成されている。また、他方がわ端部には上半部側に前記側面部５ａから連続する屈曲片５ｅが形成されているとともに、この屈曲片５ｅの下縁外側位置に下方側に垂下する垂れ片５ｆが形成され、前記屈曲片５ｅと垂れ片５ｆとによって囲まれる係合孔５ｇが形成されている。また、底面部５ｂの一部は側面部５ａを超えて反対面側に突出しアーム片の受け支持部５ｈとなっている。前記屈曲片５ｅ、垂れ片５ｆおよび係合孔５ｇが本発明に言う「係止部」を構成している。
【００１２】
一方、蓋板１の取付けに当たり、前記収納庫本体２内の側板１０には前記アーム連結金具５が連結される収納庫がわ固定金具９が設けられる。この収納庫がわ固定金具９は、詳細には図５に示されるように、側板固定がわ側面部９ａと、上面部９ｂと、連結がわ側面部９ｃとからなる断面略コ字状を成す部材で、前記側板固定がわ側面部９ａには、３つの固定ビス用通孔９ｄ、９ｄ…が形成されている。また、前記連結がわ側面部９ｃの下半部は相対的に幅狭とされ、両側に夫々連結用ビス孔９ｅ、９ｅが形成されているとともに、ほぼ中央に前記固定ビス用通孔９ｄにビスを通すと共に、ドライバーを挿入するためのドライバー嵌入孔９ｆが形成されている。さらに、一方がわ側縁部（アーム６、７とは反対側の側縁部）の下端部には、前記アーム連結金具５の係合孔５ｇに嵌合される突部９ｇ（本発明に言う「受け係止部」）が形成されている。なお、上隅部に形成されたリブ９ｈ、９ｈは側面部９ａ、９ｃと上面部９ｂとの結合剛度を高め変形を防止するためのものである。
【００１３】
前記アーム連結金具５の連結用ビス孔５ｃ、５ｃと、前記収納庫がわ固定金具９の連結用ビス孔９ｅ、９ｅとは、後述の係止状態ではビス孔位置が整合するようになっている。
前記蓋板１を収納庫本体２に取付けるには、先ず蓋板１の一辺側に連設されている隠し蝶番１２を前記収納庫本体２の開口部にビス固定し、蓋板１を前記隠し蝶番１２を回動中心として開閉可能に取付ける。また、前記収納庫がわ固定金具９は収納庫本体２内の側板１０に対してビス留めしておく。
【００１４】
次いで、図６に示されるように、前記蓋板１を開けながら屈曲式支持アーム３の端部に連設されているアーム連結金具５を前記収納庫がわ固定金具９に引き寄せ、図７に示されるように、アーム連結金具５の係合孔５ｇに収納庫がわ固定金具９の突部９ｇを嵌入させるようにしながら前記アーム連結金具５を収納庫がわ固定金具９に係止させる。この状態で前記蓋板１は開閉方向への移動が拘束されるとともに、金具同士が係合状態に保持される。すなわち、蓋板１は９０°直立位置よりも反対側まで傾倒され、屈曲式支持アーム３を介して引張力が前記アーム連結金具５に作用することになるが、アーム連結金具５の屈曲片５ｅにより前記引張力方向への移動が阻止されるとともに、底面部５ｂ、屈曲片５ｅにより浮き上がり方向への移動が阻止される。また、前記屈曲片５ｅから垂下する垂れ片５ｆによりアーム連結金具５が簡単に脱係することがなく、前記蓋板１は開状態のまま保持されるようになるため、職人は蓋板１から手を離し、アーム連結金具５の連結用ビス孔５ｃ、５ｃからビスを螺入させ連結作業を簡単に行うことが出来るようになる。
【００１５】
【発明の効果】
以上詳説のとおり本発明によれば、蓋板の取付に際し、前記蓋板が開状態のまま保持されるようになるため、職人は空いた両手を使ってアーム連結金具と収納庫がわ固定金具とのビス止め作業を行うことが出来るようになる。
【図面の簡単な説明】
【図１】本発明に係る収納庫の蓋板１の取付構造を示す側面図である。
【図２】図１のII−II線矢視図である。
【図３】屈曲式支持アーム３の全体図である。
【図４】アーム連結金具５を示す、(A)は正面図、(B)は平面図、(C)は右側面図である。
【図５】収納庫がわ固定金具９を示す、(A)は正面図、(B)は底面図、(C)は右側面図である。
【図６】収納庫がわ固定金具９に対するアーム連結金具５の係止要領図である。
【図７】アーム連結金具５の係止状態図である。
【図８】従来例に係る床下収納庫を示す断面図である。
【図９】従来例におけるアーム連結金具２４と固定金具２５との連結状態を示す斜視図である。
【符号の説明】
１…蓋板、２…収納庫本体、３…屈曲式支持アーム、４…蓋板連結金具、５…アーム連結金具、６…第１アーム片、７…第２アーム片、９…収納庫がわ固定金具、１０…側板
【図１】
0004732602.tif 000002
【図２】
0004732602.tif 000003
【図３】
0004732602.tif 000004
【図４】
0004732602.tif 000005
【図５】
0004732602.tif 000006
【図６】
0004732602.tif 000007
【図７】
0004732602.tif 000008
【図８】
0004732602.tif 000009
【図９】
0004732602.tif 000010